(57)【要約】      （修正有）【課題】有機溶剤等の使用により荒れた爪を保護することが可能な爪装飾用シール及びそれを備えた爪装飾用シール用素材を得る。【解決手段】剥離材１０に粘着剤層１５を介してフィルム２０が粘着されて成り、粘着剤が付着したフィルム２０を剥離材１０から剥離可能に構成される爪装飾用シール素材において、前記粘着剤をアクリル系粘着剤とし、粘着剤層１５の少なくとも剥離材１０側に皮膚を保湿可能な保湿剤１６であるグイセリン、コラーゲン等を含ませる。【選択図】図２
2016165457.tif 000002
【特許請求の範囲】
【請求項１】
剥離材に粘着剤層を介して爪表面装飾層を備えて成り、粘着剤が付着した前記爪表面装飾層を前記剥離材から剥離可能に構成される爪装飾用シール素材であって、
前記粘着剤がアクリル系粘着剤であり、前記粘着剤層の少なくとも剥離材側に皮膚を保湿可能な保湿剤を備える爪装飾用シール素材。
【請求項２】
前記爪表面装着層が前記粘着剤層を介して前記剥離材に粘着されるフィルム、若しくは前記粘着剤層の表面に形成された樹脂層であり、
前記アクリル系粘着剤が有機溶剤を溶剤とする粘着剤である請求項１記載の爪装飾用シール素材。
【請求項３】
前記フィルムがポリエチレンフィルム、ポリウレタンフィルム、ＥＶＡフィルム、ＰＶＣフィルムの何れかである請求項２記載の爪装飾用シール素材。
【請求項４】
前記保湿剤が、グリセリン、ゆずオイル、ツバキオイル、ホホバオイル、アルガンオイル、コラーゲン、コラーゲン由来のペプチド、ヒヤルロン酸、尿素、キシリトール、ジプロピルグリコール、ヒルドイドの一種以上を含む請求項１〜３の何れか一項に記載の爪装飾用シール素材。
【請求項５】
請求項１〜４の何れか一項に記載の爪装飾用シール素材から分離され、前記爪表面装飾層と、前記保湿剤を含有したアクリル系粘着剤を有する爪装飾用シール。
【発明の詳細な説明】
【技術分野】
【０００１】
本発明は、爪に貼付する爪装飾用シール及び当該爪装飾用シールを備えて構成される爪装飾用シール素材に関する。
【背景技術】
【０００２】
ファッションとして、手や足の爪に装飾を施すネイルアートが女性の間で流行っている。
手や足の爪に装飾を施す簡便な方法として、爪装飾用シールと呼ばれる絵柄模様が施されたシールを、直接、爪に貼付することが行われる。
一般に、爪装飾用シールは、剥離材とフィルムとの間に、両者を剥離可能に粘着する粘着剤層を備えた爪装飾用シール素材の形態で販売される。ネイルサロン等での使用時には、剥離材を剥離した状態で粘着剤がフィルム裏面に残り、爪装飾用シールが、直接、爪へ貼付される。この構成の爪装飾用シールでは、爪に貼付されるフィルムが、本願に言う「爪表面装飾層」となる。
【０００３】
従来、爪装飾用シールでは、透明なフィルムに様々な手法により模様を施している（特許文献１、特許文献２、特許文献３）。
【０００４】
さらに、誰でも簡単かつ手軽にきれいに貼付することができ、特別な技術力がなくても楽しむことができる爪装飾用シールを得ることを目的として、フィルムを特殊な構成とすることも提案されている（特許文献４）。
以上より明らかなように、これまで爪装飾用シールの開発は、主に利便性、貼付後の耐久性等を目的として進められてきた。
【先行技術文献】
【特許文献】
【０００５】
【特許文献１】特開２００４−３３７６０１号公報
【特許文献２】特開２００９−１１７６３号公報
【特許文献３】特開２０１０−２５０１３８号公報
【特許文献４】特開２０１２−２２３５１３号公報
【発明の概要】
【発明が解決しようとする課題】
【０００６】
爪装飾用シールを貼付しようとする女性の場合、これまで爪にマニキュアを施していた場合が殆どである。
マニキュアは、ニトロセルロースを皮膜形成剤としてアセトン、トルエン等の有機溶剤に溶かし、この溶液を手や足の爪に塗布して皮膜を形成するものが主流である。塗布されたマニキュアを除去する場合、ニトロセルロースを溶解しうるアセトン、トルエン等の有機溶剤の混合溶液を主成分としたリムーバー（除光液）をコットン（木綿）に吸着させ、このコットンにより爪上のマニキュアを拭き取っている。リムーバーは、マニキュア皮膜と同時に爪の水分や脂肪分も取り除いてしまう。結果、爪の表面はざらざらとして光沢のない状態になり、長期間使用していた場合などにおいては、爪が脆くなり、爪の健康上好ましくない不具合が生じる場合も発生する。
【０００７】
しかしながら、以上、説明したように、爪装飾用シールにおいて、例えばマニキュアを除去した状態での爪の保護を目的とした技術を見出すことはできない。
【０００８】
本発明の目的は、有機溶剤等の使用により荒れた爪を保護することが可能な爪装飾用シール及びそれを備えた爪装飾用シール用素材を得ることにある。
【課題を解決するための手段】
【０００９】
上記目的を達成するための、剥離材に粘着剤層を介して爪表面装飾層を備えて成り、粘着剤が付着した前記爪表面装飾層を前記剥離材から剥離可能に構成される爪装飾用シール素材の特徴構成は、前記粘着剤がアクリル系粘着剤であり、前記粘着剤層の前記剥離材側に皮膚を保湿可能な保湿剤を備えることにある。
【００１０】
この爪装飾用シール素材を使用する場合も、剥離材を粘着剤層から剥離して使用する。粘着剤としてアクリル系粘着剤を使用することにより、粘着剤として溶剤系及び水系の通用の粘着剤を本願の目的に適合して使用することができる。即ち、本願においては粘着剤層の少なくとも剥離材側に保湿剤を備えさせることを特徴とするが、保湿剤となじみのよい粘着剤を適切に選択できる。ここで、溶剤系の粘着剤を使用する場合は、シール裏面が水分により膨潤する等の問題を避けることができながら、粘着剤層に保湿剤を備えることで爪の荒れを防止することが可能となる。
一方、水系の粘着剤の場合は、膨潤の発生しない濃度に水分を調整することで、膨潤を防止し、さらに爪の荒れを防止することができる。さらに、水系の粘着剤を使用する場合は防カビ剤を添加しておくことで、カビの発生も抑制できる。
【００１１】
以上説明してきたように、本願に係る爪装飾用シールの粘着剤層の少なくとも剥離材側に保湿剤を備えることで、爪への貼付により、爪を装飾するという本来の目的に加えて、爪をその荒れ等から保護することが可能となる。
【００１２】
爪表面装着層としては、粘着剤層を介して剥離材に粘着されるフィルムとすることも可能であるし、後述するように粘着剤層の表面に印刷等の手法により形成する樹脂層とすることも可能である。
前記フィルムとしては、ポリエチレンフィルム、ポリウレタンフィルム、ＥＶＡフィルム、ＰＶＣフィルムが好ましい。その強度、着色性及び耐久性からポリエチレンフィルムが好ましく、保湿剤との関係で相互作用も起こす等の問題はない。
前記剥離材としては、紙、プラスチックフィルムを採用することも可能である。プラスチックとしては、ポリエステル、ポリプロピレン、ポリエチレン等が採用できる。これらの材料は入手容易であり、安価である。
【００１３】
前記保湿剤としては、グリセリン、ゆずオイル、ツバキオイル、ホホバオイル、アルガンオイル、コラーゲン、コラーゲン由来のペプチド、ヒヤルロン酸、尿素、キシリトール、ジプロピルグリコール、ヒルドイドの一種以上を採用することができる。クリセリンは安価に入手容易であり、採用しやすい。コラーゲンは爪の保護に優れる。
無論、これら材料の混合物とすることもできる。
【００１４】
また、これまで説明してきた爪装飾用シール素材から、剥離材を剥離することで、前記爪表面装飾層と、前記保湿剤を含有したアクリル系粘着剤を有して構成され、爪を装飾するという本来の目的に加えて、爪をその荒れ等から保護することが可能な爪装飾用シールを得ることができる。
【図面の簡単な説明】
【００１５】
【図１】爪装飾用シール素材を示す図
【図２】保湿剤の含有形態を示す説明図
【図３】爪装飾用シール素材の別形態を示す図
【発明を実施するための形態】
【００１６】
以下、図面に基づいて本発明に係る「爪装飾用シール素材１」及び「爪装飾用シール１１」について説明する。以下最初に説明する例は、粘着剤層１５に対してフィルム２０を独立に備え、フィルム２０が本願にいう「爪表面装飾層」となる例である。
図において同一構成部材には同一符号を付し、その重複する説明は省略する。また、粘着剤層等の各層は連続的に表されているが、不連続である場合もある。
【００１７】
本明細書において、「爪装飾用シール素材１」は、フィルム２０、剥離材１０及びフィルム２０と剥離材１０との間に形成される粘着剤層１５を含んで成りなり、この形態でネイルサロン等に販売される。「爪装飾用シール１１」は、当該「爪装飾用シール素材１」から剥離材１０を除いた形態であり、爪（図示省略）に貼付される前及び爪に貼付された形態を含む。また、「爪」には、ヒト又はその他の動物の足及び手の爪、およびの人工爪が含まれる。
【００１８】
本発明は、粘着剤層１５に、本願にいうところの「保湿剤１６」を含有することを特徴とするが、以下の説明では、第一実施形態として粘着剤層１５に保湿剤１６がほぼ均等に含有された実施形態を紹介し、第二実施形態として粘着剤層１５の裏側（剥離材１０側）に保湿剤１６が高密度で含有される実施形態を説明する。これらの実施形態では、粘着剤層１５として、油脂系の溶剤が使用されたアクリル系粘着剤（ソルベント型粘着剤）を使用する。さらに、第三実施形態として、粘着剤層１５に水系の溶剤を使用するアクリル系粘着剤（エマルジョン型粘着剤）を使用する場合の形態について説明する。
【００１９】
第一実施形態から第三実施形態にわたって、「爪装飾用シール素材１」、ひいては「爪装飾用シール１１」の構造は、基本的に同一であるため、以下の説明では、まず図１（ａ）から図１（ｃ）を使用して、その構造に関して説明する。
【００２０】
図１（ａ）（ｂ）は、「爪装飾用シール素材１」の形態を示した平面図であり、図１（ｃ）は、図１（ｂ）におけるA―A断面を示している。
図１（ａ）は、例えばネイルサロンに販売される形態を示しており、使用用途（具体的には貼付対象の爪の大きさ（親指・・・・小指等））に合わせて異なった形状の爪装飾用シール１１を剥離可能に備えた状態を示している。
図１（ｂ）は、個々の爪装飾用シール素材１を示した平面図であり、図１（ｃ）は、そのA―A断面図である。
【００２１】
爪装飾用シール素材１は、平面視四角形の剥離材１０上（図１（ａ）において紙面の表側、（ｃ）において紙面の左側）に、人の指の形状を有し、絵柄（図示省略）がプリントされたフィルム２０が粘着剤層１５を介して剥離可能に粘着されて構成されている。
【００２２】
具体的には、爪装飾用シール素材１は、平坦面を有する剥離材１０と平坦面を有するフィルム２０の間に粘着剤層１５を有し、粘着剤層１５は剥離材１０とフィルム２０を剥離可能に粘着する粘着剤からなる。
【００２３】
フィルム２０は、基材（図示省略）と、基材にプリントされた絵柄（図示省略）からなる。
【００２４】
本例の場合、フィルム２０はポリエチレンフィルムを採用し、その厚さは通常１０〜１００μｍが好ましく、更に好ましくは２０〜６０μｍである。厚さが１０μｍより薄いと爪に貼付したとき爪自体の凹凸が現れるためカバーとしての効果が低くなり、１００μｍより厚いと硬くて貼付しづらくなる。
フィルム２０の伸び率は通常１００〜２００％が好ましく、更に好ましくは１００〜１５０％である。伸び率が１００％より小さいと硬くて爪に貼付するときシワになり易く、使用時に爪から剥がれ易い。伸び率が２００％より高いと柔らかすぎて耐久性が弱くなる。
【００２５】
本例の場合、剥離材１０はポリエステルフィルム（プラスチックフィルムの一例）を採用し、その厚さは通常１０〜１５０μｍが好ましく、更に好ましくは５０〜１００μｍである。
さらに、図１（ａ）に示すように、爪貼付時に爪形状に合わせて型出しされるフィルム２０に対して、平面視でそのフィルム２０に対応する剥離材１０の部位に分離切断線１４を形成してある。即ち、フィルム２０に掛かる（フィルムの裏面側に）ように分離切断線１４を形成してある。このように分離切断線１４を設けることにより、分離切断線１４で分離される剥離材１０の一方（例えば図１（ａ）に示す１０ａ）を、先にフィルム２０から分離させ、爪へ、この剥離材１０ａが剥離されたフィルム２０を貼付できる。その後、剥離材の残部例えば１０ｂを分離してフィルム２０の残部を爪に貼付できる。この分離切断線１４は、貼付状態において爪の基端側となる剥離材１０の平行端辺側に寄せて設けられている。本願にあっては、好ましい実施の形態として分離切断線１４を備える例を示すが、本願の趣旨は粘着剤層の剥離材側（爪に装着される側）の保湿剤を備えることにあるため、この分離切断線１４は本願において必ずしも必須となるわけではない。
【００２６】
剥離材１０は半透明であるのが好ましい。半透明であると、使用者が爪装飾用シール素材１の裏側（図１（ａ）において紙面裏側）に指の爪をあて表側から見ると剥離材１０を通して爪を見ることができるので、剥離材１０にフィルム２０が粘着されている状態で使用者の爪に適するサイズのフィルム２０を選ぶことができる。逆に、不透明であると裏側に爪をあてても表側から剥離材１０を通して見ることができない。
【００２７】
粘着剤層１５はアクリル系粘着剤を採用する。
アクリル系粘着剤は、爪装飾用シール素材１の状態で、フィルム２０と剥離材１０を剥離可能に貼り付け、使用時、フィルム２０を剥離材１０から剥がしたとフィルム２０に粘着した状態で剥離材１０から剥離可能であり、かつ爪に剥離可能に貼付できる。粘着剤層１５は、フィルム２０を爪に安定に保持する必要があり、特に医療用粘着剤により形成された粘着剤が好ましいが、それに限定されるものではない。
【００２８】
本発明に係る爪装飾用シール素材１（あるいは爪装飾用シール１１）に備えられる粘着剤層１５には、本願にいうところの保湿剤１６が混合される。粘着剤層１５内、あるいは少なくとも、その裏面側（剥離材１０側）に保湿剤１６を備えておくことにより、爪装飾用シール１１を爪に貼付した状態で、爪を保湿して保護することができる。
【００２９】
以下、第一実施形態〜第三実施形態までの三の実施形態を紹介するが、各実施形態で共通の事項について、まず、詳細を説明する。
【００３０】
フィルム２０及び剥離材１０として、共通のものを採用した。
フィルム２０
フィルム材料        ポリエチレンフィルム（フィルムの一例）
密度                  ０．９０〜０．９７ｇ／ｃｍ３
融点                  １００〜１４０°Ｃ
溶解度                水に不溶
厚み                  ４０μｍ
形態                  表面にエンボス加工を施した自然色フィルム
表面加工
表面側（図１（ｃ）における左側）：ゴムロールによる梨地処理を施するともに、裏面側（図１（ｃ）における右側）：金属ローブによる梨地処理を施した。
さらに、両ロールでの処理の後、フィルムの表側面及び裏面側面をコロナ放電処理により荒らした。
剥離材
フィルム材料        ポリエステルフィルム
厚み                    ５０  〜１００μｍ
形態                    表面にエンボス加工を施した自然色フィルム
【００３１】
１．  第一実施形態
この実施形態の爪装飾用シール素材１の断面構造を図２（ａ）に示した。
剥離材１０及びフィルム２０は、先に説明したものである。
粘着剤層１５は、以下の手法で保湿剤１６との混合物を得て、爪装飾用シール素材１を得た。図２においては、爪装飾用シールの図番１１をフィルム２０と粘着剤層１５とを含んで記載した。この理由は、爪装飾用シール素材１から分離された爪装飾用シール１１には、主にフィルム２０側に粘着剤層１５が残ることとなるためである。
ア．粘着剤混合物の製造
粘着剤としては、アクリル酸アルキルエステル系共重合体と、トルエン、酢酸エチル、メチルエチルケトン、酢酸ビニルの混合物を使用した。
保湿剤１６としては、グリセリン（分子量  ９２．０９）若しくはコラーゲン（数平均分子量  ５００）の一方又は両方を使用するものとし、
上記粘着剤と保湿剤１６とを、保湿剤/(粘着剤+保湿剤)で、グリセリンの場合は３質量％、コラーゲンの場合は０．２質量％の割合で混合した。
混合にあたっては、通用の撹拌混合機をした。
【００３２】
イ．爪装飾用シール素材の製造
ア．粘着剤混合物の製造で得られた粘着剤と保湿剤１６との粘着剤混合物を、別途用意しておいた剥離材１０の表面に塗布した。塗布は、粘着剤混合物の割合が７５ｇ／ｍ２程度となるように調整した。
上記の工程で得られた粘着剤層１５が形成された剥離材１０上に、フィルム２０をラミネート処理することで、爪装飾用シール素材１がえられた。
フィルム２０は爪型に合わせてラミネート処理を施した。さらに、剥離材１０側に先に説明した分離切断線１４を形成した。
このような製造工程を経ることで、粘着剤層１５に保湿剤１６が混合された、図２（ａ）に示すような構成の爪装飾用シール素材１を得ることができた。
【００３３】
第二実施形態
この実施形態の爪装飾用シール素材１の断面構造を図２（ｂ）に示した。
剥離材１０及びフィルム２０は、先に説明したものである。
粘着剤層１５は、図２（ｂ）に示すように積層構成とできた。
この実施形態の爪装飾用シール素材１を得る場合には、以下の手順とした。
使用する粘着剤及び保湿剤１６の種類及び量は、第一実施形態と同じとした。
製造手順を説明する。
１． 剥離材１０の表面に、保湿剤１６を塗布する。
２． 保湿剤１６の塗布を完了した剥離材１０の上に、粘着剤を塗布する。
両者の塗布時にある程度の混合が発生する。その後、乾燥処理を施して、粘着剤の溶剤を放散させる。
３． 上記乾燥処理の後、フィルム２０を表面側にラミネートするとともに、
４． 剥離材１０の所定箇所に切断分離線１４を形成した。
このような製造工程を経ることで、粘着剤層１５の少なくとも裏面側（剥離材１０側）に保湿剤１６を備えた、図２（ｂ）に示すような構成の爪装飾用シール素材１を得ることができた。
【００３４】
３．  第三実施形態
この実施形態の爪装飾用シール素材１の断面構造は、基本的に、第一実施形態の図２（ａ）に示した構成と同じである。
剥離材１０及びフィルム２０は、先に説明したものである。
粘着剤層１５は、以下の手法で保湿剤との混合物を得て、爪装飾用シール素材１を得ることができる。ただし、第一実施形態、第二実施形態では、油脂系の粘着剤を採用したのに対して、第三実施形態では水系の粘着剤を使用する。第一実施形態に対応して説明する。
ア．粘着剤混合物の製造
粘着剤として、アクリル酸エステル系エマルジョン型粘着剤を使用した。このアクリル系粘着剤は水を溶剤として含み、防カビ剤を含む。
保湿剤１６としては、これまでの実施形態と同様に、グリセリン（分子量  ９２．０９）若しくはコラーゲン（数平均分子量  ５００）の一方又は両方を使用した。
さらに、水を含むアクリル系粘着剤の使用に際しては、防かび剤としてジルコニウム化合物を混合した。
上記粘着剤、保湿剤１６を、保湿剤/(粘着剤+保湿剤)で、グリセリンの場合は３質量％、コラーゲンの場合は０．２質量％の割合で混合した。
混合にあたっては、通用の撹拌混合機をした。
【００３５】
イ．爪装飾用シール素材の製造
ア．粘着剤混合物の製造で得られた粘着剤、保湿剤１６及び防カビ剤との粘着剤混合物を、別途用意しておいた剥離材の表面に塗布した。塗布は、粘着剤混合物の割合が７５ｇ／ｍ２程度となるように調整した。
上記の工程で得られた粘着剤層１５が形成された剥離材１０上に、フィルム２０をラミネート処理することで、爪装飾用シール素材１がえられた。
フィルム２０は爪型に合わせてラミネート処理を施した。さらに、剥離材１０側に先に説明した後、分離切断線１４を形成した。
このような製造工程を経ることで、粘着剤層に保湿剤を混合した、図２（ａ）に示すような構成の爪装飾用シール素材を得ることができた。
【００３６】
〔別実施形態〕
（１）  上記の実施形態では、保湿剤としてグリセリン、コラーゲンを使用する例を示したが、粘着剤に混合可能であり、爪に対して保湿効果を発揮できるものであれば、任意のものを使用することができる。例えば、ゆずオイル、ツバキオイル、ホホバオイル〈セラムオイルと呼ばれるオイルに含まれるホホバオイルを含む〉、アルガンオイル、コラーゲン由来のペプチド等も使用可能である。さらにヒヤルロン酸、尿素、キシリトール、ジプロピルグリコール、ヒルドイドも使用可能である。発明者らの検討によれば、ホホバオイル、アルガンオイル、水溶性のコラーゲン由来のペプチドを含むオイル等を使用する場合は、その混入量を保湿剤／(粘着剤＋保湿剤)で１％程度とするのが、相溶性の点で好ましかった。
さらに、これらの保湿剤の粒度は予め所望の粒度に設定しておいてもよいし、微細化を望む場合は、ホモジェナイザーによる微細化処理をしてもよい。
（２）上記の実施形態では、爪装飾用シールとなるフィルムに関しては、フィルムが、ポリエチレンフィルムである例を示したが、ポリウレタンフィルム、ＥＶＡフィルム、ＰＶＣフィルムとしてもよい。
また上記の実施形態では、フィルムに設ける絵柄付け処理に関しては、当該フィルムの表面を梨地処理するとともに、コロナ放電処理を行っているため、インクジェット印刷、オフセット印刷等の通用の処理で、絵柄を簡単且つ容易に形成できる。さらに、装飾用シールの貼付後、さらに装飾用のジュエルを塗る場合も簡便にこれを行うことができる。
（３）上記の実施形態では、剥離材をポリエステルフィルムで構成する例を示したが、この剥離材としては、通用の紙、プラスチックフィルムを採用することも可能である。プラスチックの例として、ポリエステル、ポリプロピレン、ポリエチレン等が例示できる。
（４）上記の実施形態では、図１に示すように、爪装飾用素材の全体概略形状を方形としたが、図３に示すように分離切断線１４から爪先端側或は基端側において、フィルム２０、剥離材１０の全てを除去しておく構成としてもよい。図３に示す例は、先端側を除去している例である。図３（ａ）（ｂ）は、「爪装飾用シール素材１」の形態を示した平面図であり、図３（ｃ）は、図３（ｂ）におけるB―B断面を示している。このような構成を採用すると、爪シールの装着が容易となる。例えば、図３に示す例の場合、爪先端側の剥離材１０ｂの除去を簡単に行え、装着初期に先端側のシールの装着を簡便に行える。
（５）これまで説明してきた実施の形態にあっては、剥離材に粘着剤層を介して粘着されたフィルムを爪表面装飾層とする例を示したが、このように、粘着剤層とは独立な物質層となるフィルムを採用することなく、粘着剤層自体の表面に所定の加工を施し（例えば、メジウム樹脂印刷層を粘着剤であるアクリル系粘着剤層の表面に印刷等により形成する）、粘着剤層と一体化した状態で、剥離材から粘着剤層を剥がし、爪表面装飾層が粘着剤層の表面に形成された爪装飾用シールを、爪に付けるものとしてもよい。従って、本願にあっては、これまで説明してきたフィルム或は粘着剤層の表面に形成される層を共に「爪表面装飾層」と呼ぶ。その厚さは、これまでも説明したように１０〜１００μｍ程度が好ましい。
【産業上の利用可能性】
【００３７】
本発明に係る爪装飾用シール素材によれば、剥離材１０と爪表面装飾層（フィルム２０は一例）の一面が粘着剤層１５によって剥離可能に粘着され、当該粘着剤層１５に保湿剤１６を含有することにより、爪貼付用シール１１を貼付した爪に対して保湿効果を生じることができる。即ち、例えば除光処理後の爪の保護・養生用のシールを得ることができた。
【符号の説明】
【００３８】
１      爪装飾用シール素材
１０    剥離材
１１    爪装飾用シール
１４    分離用切断線
１５    粘着剤層
１６    保湿剤
２０    フィルム（爪表面装飾層）
【図１】
2016165457.tif 000003
【図２】
2016165457.tif 000004
【図３】
2016165457.tif 000005